(57)【要約】【課題】本発明は、ターゲット面及び回収面をシート状とし、打ち返されたボールをスムーズに回収し、投球動作を確実化することを目的とする。【解決手段】本発明によるテニス練習機は、回収シート（２０）は互いに異なる方向でかつ下方へ向けて傾斜する四面（２０ａ〜２０ｄ）を用い、回収シート（２０）の一端から上方へ立設されたターゲットシート（２１）を有する構成である。【選択図】  図４
2004160115.tif 000002
【特許請求の範囲】
【請求項１】
ボール投球機（４）から投げ出されたボール（５０）を打ち返し、打ち返された前記ボール（５０）を回収面の孔（３）を介して再び前記ボール投球機（４）へ回収するようにしたテニス練習機において、
前記回収面はシートからなる回収シート（２０）よりなり、前記回収シート（２０）は互いに異なる方向でかつ下方へ向けて傾斜する四面（２０ａ〜２０ｄ）からなり、前記回収シート（２０）の一端から上方へ立設され前記ボール（５０）が当たるように形成されたターゲットシート（２１）を有することを特徴とするテニス練習機。
【請求項２】
前記回収シート（２０）は、樹脂コーティングシートよりなることを特徴とする請求項１記載のテニス練習機。
【請求項３】
前記回収シート（２０）及びターゲットシート（２１）は、分解組立自在でかつ複数の棒材（１０ａ）からなる枠体（１０）によって保持されることを特徴とする請求項１または２記載のテニス練習機。
【請求項４】
前記ターゲットシート（２１）は、吊り下げられてその下端は自由端であると共に、前記下端には棒状の荷重体（１１）が設けられていることを特徴とする請求項１ないし３の何れかに記載のテニス練習機。
【発明の詳細な説明】
【０００１】
【発明の属する技術分野】
本発明は、テニス練習機に関し、特に、打ち返されたボールを回収するための回収面を網等のように孔があるものではなく、孔のない回収シートを用いることによりボールを確実に回収し、ターゲットシート及び回収シートを分解組立自在とするための新規な改良に関する。
【０００２】
【従来の技術】
従来、用いられていたこの種のテニス練習機としては、枠体に張架したネットを用いてボールを受け止めて回収する構成があった（特許文献１）。
すなわち、図１１で示されるように、枠体１０に吊り下げられたネット２の下部を上方へ折り返して係止させ、窪んだ部分に孔３を形成し、ボール投球機４にこの孔３を接続して構成していた。
【０００３】
【特許文献１】
実公昭６２−１３６４６号公報
【０００４】
【発明が解決しようとする課題】
従来のテニス練習機は、以上のように構成されていたため、次のような課題が存在していた。
すなわち、打ち返されたボールを受けボールがネットの中に入り込んで落下しないこともあり、スムーズな回収が困難であった。
また、回収部分もネットで構成されているため、ターゲット部分に当たったボールがこの回収部分のネット上をスムーズに転がらず、ボールが複数個かたまってしまうことがあり、回収動作の大きい障害となっていた。
【０００５】本発明は、以上のような課題を解決するためになされたもので、特に、打ち返されたボールを回収するための回収面を網等のように孔があるものではなく、孔のない回収シートを用いることによりボールを確実に回収し、ターゲットシート及び回収シートを分解組立自在としたテニス練習機を提供することを目的とする。
【０００６】
【課題を解決するための手段】
本発明によるテニス練習機は、ボール投球機から投げ出されたボールを打ち返し、打ち返された前記ボールを回収面の孔を介して再び前記ボール投球機へ回収するようにしたテニス練習機において、
前記回収面はシートからなる回収シートよりなり、前記回収シートは互いに異なる方向でかつ下方へ向けて傾斜する四面からなり、前記回収シートの一端から上方へ立設され前記ボールが当たるように形成されたターゲットシートを有する構成であり、また、前記回収シートは、樹脂コーティングシートよりなる構成であり、また、前記回収シート及びターゲットシートは、分解組立自在でかつ複数の棒材からなる枠体によって保持される構成であり、また、前記ターゲットシートは、吊り下げられてその下端は自由端であると共に、前記下端には棒状の荷重体が設けられている構成である。
【０００７】
【発明の実施の形態】
以下、図面と共に本発明によるテニス練習機の好適な実施の形態について説明する。尚、従来例と同一又は同等部分については同一符号を用いて説明する。
図１は本発明のテニス練習機を示す正面図である。図１において符号２１で示されるものはネットではなく樹脂コーティングシートからなるターゲットシートであり、このターゲットシート２１はパイプの棒材１０ａからなる枠体１０によって吊り下げられ、自由端であるその下端には棒状の荷重体１１が掛け軸のように設けられている。
【０００８】
前記枠体１０の下部位置には、周知のマシーン送球部４ａ、マシーン発射部４ｂ及びマシーン電源部４ｃからなるボール投球機４が設けられている。
前記ボール投球機４の上方位置には、前記樹脂コーティングシートからなる回収シート２０が張設され、その孔３は前記マシーン送球部４ａに非接触で対応して位置している。
【０００９】
前記枠体１０の下部正面側には、防護用のネット３０が設けられ、前記マシーン発射部４ｂから飛び出すボールを出すための開孔３１が形成されている。
【００１０】
前記回収シート２０は、図２及び図３に示されるように、互いに異なる方向でかつ下方の孔３に向けて傾斜する四面２０ａ，２０ｂ，２０ｃ，２０ｄからなり、この回収面２０上に落下したボールがこの四面２０ａ〜２０ｄを経てスムーズに孔３内に案内されるように構成されている。尚、この四面２０ａ〜２０ｄは予め傾斜が出るように裁断して縫製されている。
【００１１】
前記枠体１０は、図２，図３，図６，図８及び図９に示されるように、複数のパイプの棒材１０ａからなり、互いに分解組立自在で、かつ、補強財１０ｂによって強度が得られるように構成されている。
【００１２】
前記ボール投球機４は、図７に示されるように、分解組立自在に構成され、前記枠体１０及び各シート４及び２０は、たたむことによって、図８に示されるケース４０内に収納して可搬型となり、自在に移動させることができる。
【００１３】
次に、動作について述べる。図４で示されるようにボール投球機４から投げ出されたボール５０は、人手のラケット等によって打ち返されターゲットシート２１に当るが、このターゲットシート２１の下端が自由端でかつ荷重体１１が設けられているため、ボール５０の勢いを変形して効果的に吸収し、回収シート２０に確実に落下し、回収シート２０の傾斜した四面２０ａ〜２０ｄを経て孔３から回収される。
【００１４】
前記回収シート２０は、図６に特に示されているように、各四面２０ａ〜２０ｄの張力が外側に向くように枠体１０に張設されているため、長期間の使用においても変形が無く、常に安定したボール５０の回収を行うことができる。
【００１５】
【発明の効果】
本発明によるテニス練習機は、以上のように構成されているため、次のような効果を得ることができる。
すなわち、ボールを受けるターゲットシートの下端が自由端になっているため、ボールを確実に受けて回収シート側に送ることができる。
また、回収シートが樹脂コーティングシートで構成され、互いに異なる方向へ傾斜しているため、ボールはスムーズに孔内へ回収され、信頼性の高いテニス練習機を得ることができる。
【図面の簡単な説明】
【図１】本発明によるテニス練習機を示す正面図である。
【図２】図１の側面図である。
【図３】図１の回収シートを示す平面図である。
【図４】図２の動作説明図である。
【図５】図１の内部を示す側面図である。
【図６】図３の張力の説明図である。
【図７】図１の要部を示す分解斜視図である。
【図８】図１の部材を収納するケースを示す斜視図である。
【図９】図１の分解斜視図である。
【図１０】図１の斜視図である。
【図１１】従来構成を示す斜視図である。
【符号の説明】
３    孔
４    ボール投球機
１０  枠体
１１  荷重体
２０  回収シート
２０ａ〜２０ｄ  四面
２１  ターゲットシート
５０  ボール
【図１】
2004160115.tif 000003
【図２】
2004160115.tif 000004
【図３】
2004160115.tif 000005
【図４】
2004160115.tif 000006
【図５】
2004160115.tif 000007
【図６】
2004160115.tif 000008
【図７】
2004160115.tif 000009
【図８】
2004160115.tif 000010
【図９】
2004160115.tif 000011
【図１０】
2004160115.tif 000012
【図１１】
2004160115.tif 000013